(57)【要約】【課題】催事のスケジュール管理に伴う労力を低減すること。【解決手段】少なくとも日付情報を出力可能な日付情報出力手段１０４と、少なくとも催事対象日を設定するための催事対象日設定部４０３を含む催事設定手段と、該催事設定手段により設定された少なくとも催事対象日を含む設定内容を記憶する催事設定記憶手段１２５と、前記日付情報出力手段１０４から出力される本日の日付情報と前記催事設定記憶手段１２５に記憶されている催事対象日を比較することにより、本日が催事対象日であるか否かを判断する催事対象日判断手段１２２と、該催事対象日判断手段１２２によって本日が催事対象日であると判断されたことに基づいて、本日が催事対象日である旨を表示する表示手段１２７と、を備える。【選択図】　　図１３
2004008458.tif 000002
【特許請求の範囲】
【請求項１】
少なくとも日付情報を出力可能な日付情報出力手段と、少なくとも催事対象日を設定するための催事対象日設定部を含む催事設定手段と、該催事設定手段により設定された少なくとも催事対象日を含む設定内容を記憶する催事設定記憶手段と、前記日付情報出力手段から出力される本日の日付情報と前記催事設定記憶手段に記憶されている催事対象日を比較することにより、本日が催事対象日であるか否かを判断する催事対象日判断手段と、該催事対象日判断手段によって本日が催事対象日であると判断されたことに基づいて、本日が催事対象日である旨を表示する表示手段と、を備えることを特徴とする催事管理装置。
【請求項２】
前記催事設定手段は、催事内容を設定する催事内容設定部を含み、前記催事設定記憶手段は該催事内容設定部にて設定された催事内容を、前記催事対象日設定部にて設定された催事対象日に対応付けて記憶し、前記表示手段は、本日が催事対象日である旨とともに該催事対象日に対応付けて前記催事設定記憶手段に登録されている催事内容を表示する請求項１に記載の催事管理装置。
【請求項３】
前記催事設定手段は、催事開始時間および催事終了時間を設定する催事時間設定部を含み、前記催事設定記憶手段は該催事時間設定部にて設定された催事開始時間および催事終了時間を、前記催事対象日設定部にて設定された催事対象日に対応付けて記憶し、前記表示手段は、本日が催事対象日である旨とともに該催事対象日に対応付けて前記催事設定記憶手段に登録されている催事開始時間および催事終了時間を表示する請求項１または２に記載の催事管理装置。
【請求項４】
前記催事設定手段は、催事対象となる条件を設定するための催事対象条件設定部を含み、前記催事設定記憶手段は該催事対象条件設定部にて設定された催事対象条件を、前記催事対象日設定部にて設定された催事対象日に対応付けて記憶し、前記表示手段は、本日が催事対象日である旨とともに該催事対象日に対応付けて前記催事設定記憶手段に登録されている催事対象条件を表示する請求項１〜３のいずれかに記載の催事管理装置。
【請求項５】
前記催事設定手段は、催事による特典内容を設定するための催事特典設定部を含み、前記催事設定記憶手段は該催事特典設定部にて設定された催事特典を、前記催事対象日設定部にて設定された催事対象日に対応付けて記憶し、前記表示手段は、本日が催事対象日である旨とともに該催事対象日に対応付けて前記催事設定記憶手段に登録されている催事特典を表示する請求項１〜４のいずれかに記載の催事管理装置。
【請求項６】
前記催事対象日設定部は、催事対象日として催事開始日および催事終了日を設定可能とされ、前記催事設定記憶手段は該催事対象日設定部にて設定された催事開始日および催事終了日を記憶し、前記催事対象日判断手段は、本日が催事開始日と催事終了日との期間に該当するか否かを判断し、前記表示手段は、該催事対象日判断手段によって本日が催事対象日であると判断されたことに基づいて、本日が催事対象日である旨とともに前記催事設定記憶手段に登録されている催事開始日および催事終了日を表示する請求項１〜５のいずれかに記載の催事管理装置。
【請求項７】
表示対象となる期間を指定するための期間指定手段と、該期間指定手段にて指定された期間内に催事対象日が該当する登録内容を抽出する催事情報抽出手段と、を備え、前記表示手段は該催事情報抽出手段による抽出結果を表示する請求項１〜６のいずれかに記載の催事管理装置。
【発明の詳細な説明】
【０００１】
【発明の属する技術の分野】
本発明は、遊技場等において実施される催事を管理するための催事管理装置に関する。
【０００２】
【従来の技術】
近年、遊技場においては、顧客の固定化や情報収集並びに顧客へのサービス向上の一環並びに来場者の増大を目的として、多くの遊技場においては、予め会員登録をした会員遊技者や一般の非会員遊技者を対象とした各種の催事（イベント）が実施されている。
【０００３】
【発明が解決しようとする課題】
これら催事の例としては、例えば今月が会員遊技者の誕生日の該当月であった場合には、通常は大当り後の連続遊技が不可な遊技台であっても連続遊技を可能とする「無制限」サービスや、記念品を進呈するサービス、或いは特定の会員（例えば性別、年齢、ポイント数が所定値以上）に対して前記無制限サービスや記念品を進呈する等の種々のサービス等があるが、これら催事の実施スケジュールをマニュアル等の印刷物等にて管理しており、これら多くの催事を実施する場合には、そのスケジュール管理が煩雑となってしまうという問題があった。
【０００４】
よって、本発明は上記した問題点に着目してなされたもので、催事のスケジュール管理に伴う労力を低減することのできる催事管理装置を提供することを目的としている。
【０００５】
【課題を解決するための手段】
前記した問題を解決するために、本発明の催事管理装置は、少なくとも日付情報を出力可能な日付情報出力手段と、少なくとも催事対象日を設定するための催事対象日設定部を含む催事設定手段と、該催事設定手段により設定された少なくとも催事対象日を含む設定内容を記憶する催事設定記憶手段と、前記日付情報出力手段から出力される本日の日付情報と前記催事設定記憶手段に記憶されている催事対象日を比較することにより、本日が催事対象日であるか否かを判断する催事対象日判断手段と、該催事対象日判断手段によって本日が催事対象日であると判断されたことに基づいて、本日が催事対象日である旨を表示する表示手段と、を備えることを特徴としている。
この特徴によれば、前記催事設定手段の催事対象日設定部にて、予め催事を実施する日付を設定しておくことで、本日がその日付となった際に、本日が催事対象日である旨が表示手段に表示されるようになるため、催事のスケジュール管理に伴う労力を低減することができる。
【０００６】
本発明の催事管理装置は、前記催事設定手段は、催事内容を設定する催事内容設定部を含み、前記催事設定記憶手段は該催事内容設定部にて設定された催事内容を、前記催事対象日設定部にて設定された催事対象日に対応付けて記憶し、前記表示手段は、本日が催事対象日である旨とともに該催事対象日に対応付けて前記催事設定記憶手段に登録されている催事内容を表示することが好ましい。
このようにすれば、複数の催事内容を設定できるとともに、本日が催事対象日ならば、その催事内容が表示手段に表示されるようになり、該表示された催事内容に基づき催事営業を行うことができる。
【０００７】
本発明の催事管理装置は、前記催事設定手段は、催事開始時間および催事終了時間を設定する催事時間設定部を含み、前記催事設定記憶手段は該催事時間設定部にて設定された催事開始時間および催事終了時間を、前記催事対象日設定部にて設定された催事対象日に対応付けて記憶し、前記表示手段は、本日が催事対象日である旨とともに該催事対象日に対応付けて前記催事設定記憶手段に登録されている催事開始時間および催事終了時間を表示することが好ましい。
このようにすれば、時間帯で区切るような催事の設定を実施できるとともに、本日が催事対象日ならば、前記表示手段に催事開始時間および催事終了時間が表示されるようになるため、該催事開始時間および催事終了時間に基づいて催事営業を行うことができる。
【０００８】
本発明の催事管理装置は、前記催事設定手段は、催事対象となる条件を設定するための催事対象条件設定部を含み、前記催事設定記憶手段は該催事対象条件設定部にて設定された催事対象条件を、前記催事対象日設定部にて設定された催事対象日に対応付けて記憶し、前記表示手段は、本日が催事対象日である旨とともに該催事対象日に対応付けて前記催事設定記憶手段に登録されている催事対象条件を表示することが好ましい。
このようにすれば、催事対象条件を設定できるとともに、本日が催事対象日ならば、前記表示手段に催事対象条件が表示されるようになるため、該催事対象条件に基づいて催事営業を行うことができる。
【０００９】
本発明の催事管理装置は、前記催事設定手段は、催事による特典内容を設定するための催事特典設定部を含み、前記催事設定記憶手段は該催事特典設定部にて設定された催事特典を、前記催事対象日設定部にて設定された催事対象日に対応付けて記憶し、前記表示手段は、本日が催事対象日である旨とともに該催事対象日に対応付けて前記催事設定記憶手段に登録されている催事特典を表示することが好ましい。
このようにすれば、催事により付与する催事特典を設定できるとともに、本日が催事対象日ならば、前記表示手段に催事特典が表示されるようになるため、該催事特典に基づいて催事営業を行うことができる。
【００１０】
本発明の催事管理装置は、前記催事対象日設定部は、催事対象日として催事開始日および催事終了日を設定可能とされ、前記催事設定記憶手段は該催事対象日設定部にて設定された催事開始日および催事終了日を記憶し、前記催事対象日判断手段は、本日が催事開始日と催事終了日との期間に該当するか否かを判断し、前記表示手段は、該催事対象日判断手段によって本日が催事対象日であると判断されたことに基づいて、本日が催事対象日である旨とともに前記催事設定記憶手段に登録されている催事開始日および催事終了日を表示することが好ましい。
このようにすれば、期間で区切るような催事を設定することができ、本日が催事対象日ならば、前記表示手段に催事開始日と催事終了日が表示されようになるため、該催事開始日と催事終了日による催事期間に基づいて催事営業を行うことができる。
【００１１】
本発明の催事管理装置は、表示対象となる期間を指定するための期間指定手段と、該期間指定手段にて指定された期間内に催事対象日が該当する登録内容を抽出する催事情報抽出手段と、を備え、前記表示手段は該催事情報抽出手段による抽出結果を表示することが好ましい。
このようにすれば、期間指定手段に所望の期間を指定することで、既に設定されている催事の中から、指定した期間に催事対象日が該当する催事の情報が前記表示手段に表示されるようになるため、催事の登録状況を確認できるとともに、事前準備が必要な催事に関しては、その準備への意識付けができる。
【００１２】
【発明の実施の形態】
以下、図面に基づいて本発明の実施形態を説明する。尚、以下の実施例においては、遊技機として遊技媒体であるパチンコ玉が払い出される通常のパチンコ機を用いた例を示すが、本発明はこれに限定されるものではなく、その他の遊技機、例えばパチンコ玉が指触不能に封入された封入式パチンコ機や、遊技媒体としてコインやパチンコ玉を使用するスロットマシンやパチロット、更には完全クレジット式のスロットマシン等の遊技機においても適用可能である。
【００１３】
（実施例）
【００１４】
図１は本実施例にて用いた催事管理装置である会員管理コンピュータ１２０が適用された遊技用システムの構成を示す図であり、この遊技用システムは、遊技場において複数配置された遊技島に並設される遊技機であるカードリーダ式パチンコ機（以下パチンコ機）２と、該パチンコ機２に対して１対１に対応設置される記録媒体処理装置としてのカードユニット３と、遊技場内の所定箇所に設置され、前記カードユニット３にて使用される会員カード３７に対し、投入された現金に該当する遊技用価値である度数を付与する入金処理を行う入金装置２１と、該会員カードに残存する遊技用価値である度数を現金に精算する精算処理を行う精算装置２２と、前記カードユニット３が不良となった際に、該不良のカードユニット３と交換するための予備のカードユニット３を収納されたカードユニットストッカ２０と、前記カードユニット３にて使用される会員カード３７並びにビジターカード３８の管理等を行うシステムコントローラ１００と、前記会員カード３７を所持する会員遊技者に関する情報を管理するとともに、イベント（催事）に関する各種情報や、遊技者がイベント対象者であるか否かを判断して前記カードユニット３に報知指示を出力する会員管理コンピュータ１２０と、から主に構成されており、前記システムコントローラ１００、会員管理コンピュータ１２０、カードユニット３、カードユニットストッカ２０、入金装置２１並びに精算装置２２とはハブ（ＨＵＢ）７並びに中継器６並びに通信ケーブル８を介して双方向のデータ通信可能に接続されていて、各接続機器にはそれぞれローカルＩＰアドレスが付与されてローカルエリアネットワーク（ＬＡＮ）が形成されている。また、前記システムコントローラ１００と会員管理コンピュータ１２０とは個別の通信ケーブル１０を介して比較的高速のデータ通信を実施可能に接続されている。
【００１５】
また、前記システムコントローラ１００は、通信回線１１を介してカード管理会社に設置された管理サーバ１２と双方向のデータ通信を実施できるように接続されていて、カード管理会社は、該管理サーバ１２にて各遊技場の会員カード並びにビジターカードによる売上や、システムコントローラ１００並びにカードユニット３のエラー状況等を把握できるようになっている。
【００１６】
初めに、本実施例にて用いた会員カード３７並びにビジターカード３８に使用した記録媒体について説明すると、本実施例では図２（ａ）、図２（ｂ）に示すように、予め会員登録をした会員遊技者に対して発行される会員カード３７と、前記カードユニット３に装備、内封されて、不特定多数の遊技者に発行、使用されるビジターカード３８と、の２種類のＩＣカードを用いている。
【００１７】
まず、本実施例に用いた会員カード３７について説明すると、該会員カード３７には、図２（ａ）に示すように、略長方形のカード型に形成されているとともに、その中央位置に、非接触にて記録データの入出力（送受信）を行うための円形状とされたアンテナコイル８３と、記録データを電気的に書き換え可能に記憶する集積回路（ＩＣ）８４とが設けられており、これら会員カード３７は、前記カードユニット３内に設けられている後述するカードリーダライタ３２７に挿入されることで、該カードリーダライタ３２７から出力される電磁波が前記アンテナコイル８３に誘導起電力を生じさせて前記集積回路８４が動作可能に付勢されるとともに、前記アンテナコイル８３を介して前記カードリーダライタ３２７との各種のデータ送受を電磁波により非接触にて実施可能とされている。
【００１８】
また、これら会員カード３７における集積回路８４の内部メモリには、各会員カード３７を個別に識別可能な会員カードＩＤや、各会員を識別可能な所有者識別情報としての会員ＩＤ、当該会員カード３７が発行された発行店等の情報が書き換え不可に記録されているとともに、前記カードリーダライタ３２７とのデータ通信により、後述する追加入金処理の際に付与される入金ＩＤや遊技用価値としての度数、最後に追加入金処理がなされたカードユニット３（入金装置）の装置ＩＤ、当該会員カード３７を所持する会員の氏名（名字及び名前）や性別、年齢、誕生日、職業等、当該会員カード３７を所持する会員遊技者に関する会員帰属情報等の情報が書き換え可能に記録されている。
【００１９】
この本実施例の会員カード３７の一面には、図２（ａ）に示すように、バーコード８５が印刷されており、該バーコード８５に前記会員ＩＤが記録されていて、該バーコード８５を読み取ることで、前記集積回路８４との通信を行うことなく、会員ＩＤを自動的に読み取ることができるようになっている。
【００２０】
次いで、本実施例にて用いたビジターカード３８について説明すると、該ビジターカード３８には、図２（ｂ）に示すように、各辺の長さが前記会員カード３７の各辺の長さより若干短い略長方形のカード状とされており、その略中央部には、前記会員カード３７におけるアンテナコイル８３並びに集積回路８４と同一構成とされたアンテナコイル９１並びに集積回路９２が設けられた非接触ＩＣカードを使用しており、前記会員カード３７同様にカードリーダライタ３２７との各種のデータ送受を電磁波により非接触にて実施可能とされているが、前記会員カード３７に設けられている会員ＩＤが記録されたバーコード８５は設けられていない。
【００２１】
また、これらビジターカード３８における集積回路９２の内部メモリには、各ビジターカード３８を個別に識別可能なシリアル番号やカードＩＤ並びに当該ビジターカード３８が使用される使用店等が書き換え不可に記録されているとともに、前記カードリーダライタ３２７とのデータ通信により、会員カード３７の未挿入時にカードユニット３に投入される金額に該当する大きさの遊技用価値である度数や、装備されているカードユニット３の装置ＩＤ、並びに書き換え回数情報等の情報等が書き換え可能に記録されている。
【００２２】
次いで、本実施例に用いた遊技機であるパチンコ機２について簡単に説明すると、該パチンコ機２は、図３に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下操作ノブ）２０５とが設けられている。
【００２３】
このパチンコ機２が設置される遊技島内には、該遊技島の下部位置に各パチンコ機２より排出されたパチンコ球を収集可能となるように遊技島を横断するように配置された下部タンク（図示略）と、遊技島上部位置に該遊技島に並設された各パチンコ機２へパチンコ球を供給可能となるように遊技島を横断するように配置された供給樋（図示略）と、前記下部タンクに収集、貯留されているパチンコ球を下部タンクより供給樋へと揚送する揚送装置（図示略）と、が設けられているとともに、図３に示すように、遊技島の前記パチンコ機２の上方位置には、パチンコ機２の裏面上部位置に設けられている上部タンク（図示略）に前記供給樋により供給されたパチンコ球を補給するための分流樋２３が設けられ、且つ前記遊技島内の該パチンコ機２の下方位置には、該パチンコ機２にて遊技に使用されたパチンコ球が排出され、該排出されたパチンコ球が前記下部タンクへと排出されるアウト球タンク２５が設けられていて、前記分流樋２３よりパチンコ球が供給されてパチンコ機２において賞球や貸出球に使用されるとともに、遊技に使用されたパチンコ球が前記アウト球タンク２５を通じて下部タンクに排出されて収集され、再度遊技島上部の前記供給樋に揚送されて循環使用されるようになっている。
【００２４】
前記分流樋２３にはパチンコ機２に補給されるパチンコ球（補給球数）を計数するための補給球計数器２４が設けられているとともに、前記アウト球タンク２５から下部タンクへの排出流路にはパチンコ機より排出されたアウト球を計数するためのアウト球計数器２６が設けられていて、これら補給球計数器２４並びにアウト球計数器２６は、前記カードユニット３内に内蔵されている後述する制御ユニット３２８に接続されており、補給球計数器２４並びにアウト球計数器２６より出力された計数信号が前記制御ユニット３２８に入力することで、制御ユニット３２８にて対応するパチンコ機２への補給球数並びに遊技に使用されたアウト球数を計数することができるようになっている。
【００２５】
前記操作部１４の上面には、図４に示すように、前記カードユニット３において前記会員カード３７或いはビジターカード３８より読み出された度数が表示される度数表示部１７と、遊技の開始または前記打球供給皿２０３に持玉が少なくなったか或いは無くなった際に押圧操作されることで、前記度数表示部１７に度数が存在する場合に所定数量のパチンコ玉の貸出がパチンコ機２より実施される貸出ボタン１６と、遊技の終了時にて前記カードユニット３に受付中の会員カード３７を返却させるための返却ボタン１５と、が設けられており、これら各部は操作部１４内部に設けられている操作基板１８上に実装されている。
【００２６】
前記ガラス扉枠２０２の後方には、図３に示すように、遊技盤２０６が着脱可能に取付けられている。また、遊技盤２０６の前面には遊技領域２０７が設けられている。この遊技領域２０７の中央付近には、「特別図柄」と呼ばれる複数種類の識別情報が可変表示される可変表示部２０９と、「普通図柄」と呼ばれる複数種類の識別情報が可変表示される可変表示装置２１０とが設けられている。また遊技盤２０６には、複数の入賞口２２４や通過ゲート２１１、始動入賞口２１４、可変入賞球装置２１６が設けられているとともに、遊技領域２０７の下部には、入賞しなかった打込玉を回収するアウト口２２６が形成されている。
【００２７】
前記打球操作ノブ２０５の操作によって揺動されるハンマー（図示略）によって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００２８】
また、前記遊技領域２０７に打ち込まれた打込玉が通過ゲート２１１を通過すると、可変表示装置２１０に停止表示されている普通図柄が可変開始する。
【００２９】
可変表示装置２１０の可変表示動作後の表示結果が予め定められた特定の表示結果（たとえば７）となった場合に、始動入賞口２１４に設けられた可動片２１５が所定時間開成して遊技者にとって有利な状態となる。
【００３０】
また、始動入賞口２１４にパチンコ玉が入賞すると、可変表示部２０９において全特別図柄が可変表示（変動表示）を開始する。そして、その後、左、中、右の特別図柄が停止し、その停止表示結果が予め定められた特定の表示態様（たとえば７７７）となった場合に、特定遊技状態（大当り状態）が発生する。このように大当り状態が発生した場合には、可変入賞球装置２１６に設けられた開閉板２２０が開成して遊技者にとって有利な第１の状態となる。この第１の状態は、所定期間（たとえば３０秒間）の経過、或いは所定個数（たとえば１０個）の打玉の入賞のうちいずれか早い方の条件が成立することにより終了し、その後、遊技者にとって不利な第２の状態となる。第１の状態となっている可変入賞球装置２１６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３１】
また、前記可変表示部２０９で可変表示された左、中、右の特別図柄が同じ図柄の種類に一致した大当り図柄の組合せで停止表示されたときには前述したように大当りが発生するが、これら大当り図柄に停止表示される以前の状態において、リーチ状態が発生する場合がある。ここで、「リーチ状態」とは、可変表示部２０９が可変開始された後、表示制御が進行して表示結果が導出表示される前段階にまで達した時点でも、特定の表示態様となる表示条件から外れていない表示態様をいう。例えば、前記特定の表示態様の組合せが揃った状態を維持しながら複数の前記可変表示部２０９による可変表示を行う状態もリーチ表示状態に含まれる。更にリーチの中には、それが出現すると、通常のリーチ（ノーマルリーチ）に比べて、大当りが発生しやすいものがある。このようなリーチをスーパーリーチという。更にリーチの中には、相当な低確率ではあるが、それが出現すると、ほぼ確実に大当りが発生するものがある。このようなリーチをプレミアムリーチといい、これらプレミアムリーチの発生に伴って該発生が後述するように外部に出力される。
【００３２】
これらパチンコ機２の構成を図７に基づいて説明すると、該パチンコ機２には、前記可変表示部２０９の表示制御を行う表示制御基板２８０と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行う賞球制御基板２３７と、遊技効果ランプ等の制御を実施するランプ制御基板２３５と、スピーカから出力される音声の制御を行う音声制御基板２７０と、前記打球操作ハンドル２０５の操作に基づき打球供給皿２０３に払い出されたパチンコ玉を遊技領域２０７に発射する打球発射装置の制御を行う発射制御基板２９１と、これら各部の制御を実施する遊技制御基板２３１と、が設けられており、これらは図７に示すように接続され、前述の打球供給皿２０３に払い出されたパチンコ玉を使用して遊技を実施できるようになっている。
【００３３】
また、前記賞球制御基板２３７は、前記カードユニット３の制御ユニット３２８（図７参照）に信号ケーブル９を介して接続されており、後述の台端末貸出完了信号（ＥＸＳ）や台ＲＥＡＤＹ信号（ＰＲＤＹ）が前記カードユニット３の制御ユニット３２８に出力されるようになっているとともに、前記カードユニット３の制御ユニット３２８より出力される後述のカードユニットＲＥＡＤＹ信号（ＢＲＤＹ）や台端末貸出要求完了確認信号（ＢＲＱ）が入力されるようになっている。
【００３４】
また、前記遊技制御基板２３１は、パチンコ機２における遊技情報を外部出力するための情報出力部２９８に接続されており、該遊技制御基板２３１より出力された大当り信号や始動信号、前述したプレミアムリーチが発生した場合に出力されるプレミアムリーチ発生信号等の入力に基づく大当り情報や始動情報、プレミアム発生情報等の各種遊技情報を、前記情報出力部２９８を介して前記カードユニット３に出力するようになっている。
【００３５】
また、前記操作基板１８は、前述の賞球制御基板２３７並びに信号ケーブル９を介してカードユニット３に接続されており、前記貸出ボタン１６が操作されて遊技者による玉貸し操作がなされた場合に出力される貸出入力信号や、返却ボタン１５が操作された場合に出力される返却入力信号が、前記カードユニット３の制御ユニット３２８に出力されるようになっているとともに、該制御ユニット３２８より出力される前記度数表示部１７の度数表示信号が入力されることで該度数表示部１７に該度数表示信号に基づく度数が表示されるようになっている。
【００３６】
次に、本実施例に用いたカードユニット３について説明すると、該カードユニット３の前面には、図３に示すように、その最上部位置にカードユニット３のエラー発生状況やシステムコントローラ１００との通信状態、並びにその時点において受付中のカードが会員カード３７であるかとともに、その会員遊技者がイベント対象者であるか、或いは受付中のカードがビジターカード３８であるかを点灯色や点灯態様の違いにより報知する多機能ランプ３０１が設けられており、遊技場の係員等がカードユニット３内部におけるエラー発生やシステムコントローラ１００との通信不能状態の発生とともに、受付中のカード種別やイベント対象者か否かを知覚できるようになっている。
【００３７】
具体的には、本実施例では前記多機能ランプ３０１内部に３原色であるＲＧＢ光の各色の発光が可能なＬＥＤモジュールを内在しており、これらＲＧＢ光の発光を制御することで、前記多機能ランプ３０１の発光色を可変できるようになっている。
【００３８】
これら多機能ランプ３０１の発光色と報知内容との関係は、図１９に示すように、消灯は非稼働状態であることを示し、緑色の連続点灯は、前記システムコントローラ１００との通信状態がオンライン状態であって、会員カード３７が未挿入で該会員カード３７の挿入待ち状態かもしくはビジターカード３８が使用中であることを示し、青色の連続点灯は会員カード３７が挿入中であることを示し、青色の点滅点灯は挿入中の会員カード３７所持者である遊技者がイベント対象者であることを示し、赤色の連続点灯は前記システムコントローラ１００との通信状態がオフライン状態であることを示し、赤色の点滅点灯は装置内部において予め定められた所定のエラー状態が発生していることを示すように、点灯制御される。
【００３９】
本実施例ではこのように、単一の表示部である多機能ランプ３０１の表示態様にて、図１９に示す各種の報知を実施するようにしており、このようにすることは、このように単一とされた多機能ランプ３０１を注視することで、遊技者或いは係員等が報知内容を容易に確認できるようになることから好ましいが、本発明はこれに限定されるものではなく、これらの報知を、各報知内容毎に個別の報知ランプや報知ブザー等を設けて報知を実施するようにしても良いし、更にはこれらの報知を有しない構成としても良い。
【００４０】
この多機能ランプ３０１の下方位置には、紙幣を挿入可能とされた紙幣挿入口３０２と、硬貨が投入可能とされた硬貨投入口３０３と、投入した硬貨の返却を実施する硬貨返却ボタン３０４とが設けられていて、遊技者は貨幣として硬貨並びに紙幣を投入できるようになっている。
【００４１】
これら各投入口３０２，３０３並びに返却ボタン３０４の下方位置には、硬貨並びに紙幣の使用が可能である際に点灯されて、硬貨並びに紙幣の使用が可能であることを報知するための硬貨利用可ランプ３４８と紙幣利用可ランプ３４９と、貸出処理における単位を変更するための貸出単位変更ボタン３０６と、前記貸出単位等が表示される貸出単位表示部３０７と、後述の度数表示部３０９の表示内容を度数の端数表示等に変更表示させるための端数ボタン３０８と、前記会員カード３７やビジターカード３８から読み出された度数等が表示される度数表示部３０９と、対応する遊技機２の機種を点灯により示す機種設定ランプ３１０と、対応する遊技機２の連結方向を示す方向指示ランプ３１１と、前記システムコントローラ１００との通信状態に基づき、会員カード３７の受付けの可／不可を報知するための所有者特定記録媒体使用可否報知手段としての会員カード利用可ランプ３０５と、前記ビジターカード３８の発行のための貨幣投入に伴い点灯されるとともに、該ビジターカード３８の発行中において点滅点灯されるカード発券中ランプ３１２を有する操作パネルが設けられており、遊技者が各種操作を実施可能とされているとともに、前記会員カード利用可ランプ３０５やカード発券中ランプ３１２、前記硬貨利用可ランプ３４８並びに紙幣利用可ランプ３４９の点灯状態により、会員カード３７の挿入が可能か否かや、ビジターカード３８の発行状況や、硬貨或いは紙幣の利用が可能か否か遊技者に報知されるようになっている。
【００４２】
この操作パネルの下部位置には、前記硬貨返却ボタン３０４が操作された場合等に硬貨が返却される硬貨返却口３１３並びに該硬貨返却口３１３を下方から覆うように突設形成され、該硬貨返却口３１３より排出された硬貨の落下を防止する受部３１３’が設けられている。
【００４３】
この硬貨返却口３１３の更に下方位置には、受付中の会員カード３７から特定される貯蓄玉数に基づく再プレイ可能回数等が表示される会員カード用表示部３１４と、暗証番号等の入力を行うテンキー３１５と、該テンキー３１５にて入力した暗証番号を決定する場合や前記貯蓄玉数のうちの所定の玉数払戻を実施するためのエンターキー３１７と、会員カード３７を受付け時において該会員カードに記録された度数を用いて遊技を実施するか、若しくは該会員カード３７の会員ＩＤにより特定される貯蓄玉数を用いて遊技を実施するかを選択するプレイ選択ボタン３１６とが設けられた会員操作パネルが設けられており、会員遊技者が会員カード３７を挿入することで操作を実施できるようになっている。
【００４４】
また、図５に示すように、前記会員カード挿入口３１９とビジターカード装着口３１８とは、遊技者から見て左右に並んで配置されているとともに、前記ビジターカード装着口３１８は、前記会員カード挿入口３１９が設けられたカードユニット３の前面よりも装置の内方に入り込むように形成された段部３４０に設けられている。
【００４５】
前記会員カード挿入口３１９は、カードリーダライタ３２７の会員カードスロット（図示略）に連設されており、該会員カード挿入口３１９を介して会員カード３７を会員カードスロットに挿入可能とされている。また、前記段部３４０に設けられたビジターカード装着口３１８も、カードリーダライタ３２７のビジターカード収容室（図示略）に連設されており、このビジターカード装着口３１８を介してビジターカードを前記ビジターカード収容室に装着可能とされている。
【００４６】
また、前記ビジターカード収容室にビジターカード３８が装着された際には、該装着されたビジターカード３８の先端がビジターカード装着口３１８から突出する態様にて装着される。また、このビジターカード装着口３１８が設けられた段部３４０には、この段部３４０全体を被覆する透明カバー部材３１８’が着脱可能に取付けられており、これにより前記カードリーダライタ３２７に装着されたビジターカード３８が、前記透明カバー部材３１８’を通して視認できるとともに、該透明カバー部材３１８’により挿入されたビジターカード３８の抜き取りができない状態とされ、該ビジターカード３８がカードユニット３内に内封された状態とされている。
【００４７】
このように、段部３４０の全面を透明カバー部材３１８’にて覆うようにすることは、これらビジターカード３８が装着されている装置内部に、異物等の侵入による不具合を回避できるようになることから好ましいが、本発明はこれに限定されるものではない。
【００４８】
また、この透明カバー部材３１８’は、図５に示すように、該透明カバー部材３１８’の前面側端に設けられた係止突起３４１を、段部３４０の側面に設けられた係止孔３４２に係止させ、透明カバー部材３１８’の側面後端に設けられた係止爪３４３を、段部３４０の底面に設けられた係止孔３４４に係合させることで取付けられるようになっており、前記係止爪３４３と係止孔３４４との係合を、カードユニット３の施錠を解除して全面に引き出す等により前記係合部を露出させて解除することで、透明カバー部材３１８’の取外しが可能とされている。これにより、前記施錠を解除できる遊技場の係員等は、ビジターカード３８の交換作業が容易に行えるようになるとともに、通常時カードユニット３はパチンコ機２と並設されて前記係合部が露出されない状態にて使用されるため、通常使用時において透明カバー部材３１８’は取り外せない状態、すなわち装着されたビジターカード３８の抜き取りができない状態で使用できるようになる。
【００４９】
また、前記ビジターカード装着口３１８が設けられた段部３４０の上下面において前記透明カバー部材３１８’の上下端面が当接する位置には、緑色に発光するＬＥＤモジュール３４６が設けられている。これらＬＥＤモジュール３４６は、カードリーダライタ３２７に装着されているビジターカード３８に対する発行貸出処理が実施されている場合に、前記カード発券中ランプ３１２とともに発光するように制御されており、前記透明カバー部材３１８’がその端面より入光したＬＥＤモジュール３４６の緑色光にて点灯されることでビジターカード３８の発行並びに貸出処理が処理中である旨が遊技者に報知される。
【００５０】
このように、前記カード発券中ランプ３１２とともにＬＥＤモジュール３４６を発光させてビジターカード３８の発行並びに貸出処理が処理中である旨を報知することは、遊技者は、貨幣投入に応じて前記内封記録媒体遊技使用処理である発行貸出処理が正常に実施されていることを容易に認識できるようになることから好ましいが、本発明はこれに限定されるものではなく、これらＬＥＤモジュール３４６等による前記ビジターカード３８の発行貸出処理が処理中である旨の報知を実施しない構成としても良い。
【００５１】
また、図５に示すように、前記会員カード挿入口３１９の周囲には、直流電圧の印加により赤色に発光する有機ＥＬ（エレクトリックルミネッセンス）パネルにて構成される会員カード受付中表示部３４５が設けられている。これら会員カード受付中表示部３４５は、会員カードが受付中の場合に赤色に点灯されることで、会員カード３７が受付中である旨が遊技者や遊技場係員に報知される。
【００５２】
この本実施例に用いたカードユニット３の構成を図６並びに図７に基づいて説明すると、該カードユニット３には、前面最上部位置に設けられている前記多機能ランプ３０１が接続されるとともに、前記会員カード利用可ランプ３０５や貸出単位変更ボタン３０６、貸出単位表示部３０７、端数ボタン３０８、度数表示部３０９、機種設定ランプ３１０、方向指示ランプ３１１、カード発券中ランプ３１２、硬貨利用可ランプ３４８、紙幣利用可ランプ３４９、前記貸出単位表示部３０７や度数表示部３０９の表示ドライバ（図示略）等が実装され、これら各部と後述する制御ユニット３２８との制御信号の入出力等が行われる第１操作基板３２０と、会員カード受付中表示部３４５並びにＬＥＤモジュール３４６が接続されるとともに、前記会員カード用表示部３１４やテンキー３１５、プレイ選択ボタン３１６、エンターキー３１７、前記会員カード用表示部３１４の表示ドライバ（図示略）等が実装され、これら各部と前記制御ユニット３２８との制御信号の入出力等が行われる第２操作基板３２１とが、設けられており、これら第１操作基板３２０並びに第２操作基板３２１は、カードユニット３の前面パネルに沿って配置されている。
【００５３】
また、装置内の上部位置には、前記紙幣挿入口３０２に連設され、該紙幣挿入口３０２に投入された紙幣を取り込んでその真贋や紙幣種別の識別を実施し、その識別結果を装置中央部に設けられている後述の制御ユニット３２８に出力する貨幣識別手段としての紙幣識別ユニット３２２が設けられているとともに、その下方位置には、前記硬貨投入口３０３に硬貨投入路３２３を介して連設され、該硬貨投入口３０３より投入された硬貨（本実施例では１００円硬貨と５００円硬貨）の真贋並びに硬貨種別の識別を実施し、その識別結果を後述の制御ユニット３２８に出力する貨幣識別手段としての硬貨識別ユニット３２４とが設けられており、これら両識別ユニット３２２、３２４を内在することにより、各種紙幣（１万円、５千円、２千円、千円の各紙幣）並びに各種硬貨（１００円硬貨、５００円硬貨）の受付が可能とされている。
【００５４】
また、カードユニット３の下方位置には、前記会員カード挿入口３１９並びにビジターカード装着口３１８の双方に連設するように配置され、これら会員カード挿入口３１９に挿入されて受付けた会員カード３７の前記集積回路（ＩＣ）８４に記録されている記録情報や、ビジターカード装着口３１８に装着されているビジターカード３８の前記集積回路９２に記憶されている記録情報の読み出し並びに書き込み等を行うカードリーダライタ３２７が設けられている。
【００５５】
このカードリーダライタ３２７の内部には、前記ビジターカードスロットに挿入された会員カード３７並びに前記ビジターカード収容室に装着されているビジターカード３８とのデータ送受を行う通信基板３２７ａと、該カードリーダライタ３２７の制御を行うコントローラ等が実装された制御基板３２７ｂと、が設けられており、図７に示すように、前記制御基板３２７ｂは、ハブ７並びに通信ケーブル８を介して前記システムコントローラ１００に接続され、システムコントローラ１００とのデータ通信を実施可能とされていて、該制御基板３２７ｂにより前記システムコントローラ１００との通信状態を確認する通信状態確認手段が形成されている。
【００５６】
また、前記制御基板３２７ｂは、カードリーダライタ３２７が搭載されたカードユニット３の制御ユニット３２８にも接続されており、該制御ユニット３２８との各種データの送受が実施可能とされている。
【００５７】
また、カードユニット３の略中央部位置には、前記紙幣識別ユニット３２２や硬貨識別ユニット３２４に接続され、これら紙幣識別ユニット３２２並びに硬貨識別ユニット３２４との各種信号の入出力を行うＩ／Ｏポート３３２ａや、前記カードリーダライタ３２７に接続されて該カードリーダライタ３２７との各種データの送受を行うためのＩ／Ｏポート３３２ｄ、前記第１操作基板３２０並びに前記第２操作基板３２１に接続されて各種信号の入出力を行うＩ／Ｏポート３３２ｂ、前記パチンコ機２の賞球制御基板２３７や操作基板１８との各種信号の入出力を行うＩ／Ｏポート３３２ｃ、前記ハブ７並びに通信ケーブル８を介して会員管理コンピュータ１２０とのデータ通信を行うための通信部３３４、対応するパチンコ機２の上方位置に設置された外部機器としての呼出ランプ４（図３参照）に接続され、該呼出ランプ４に対して該呼出ランプ４を点灯させるための点灯指示信号を出力するとともに、前記補給球計数器２４並びにアウト球計数器２６より出力された計数信号、並びに前記パチンコ機２の情報出力部２９８から出力される大当り情報やプレミアム発生情報等の各種遊技情報（オプション情報）の出力を受付けるデータ入出力部３３６、これらカードユニット３を構成する各部の制御や前記操作基板１８に実装された度数表示部１７の制御等を実施するＭＰＵ３２９、ワークメモリ等として使用されるＲＡＭ３３０、前記ＭＰＵ３２９が実行する制御内容が記述された制御プログラム等が記憶されたＲＯＭ３３１等が設けられた、所有者特定記録媒体受付判断手段、所有者不特定記録媒体受付判断手段並びにエラー発生判断手段としての制御ユニット３２８を内蔵しており、これら各部は図７に示すように接続されていて、前記ＭＰＵ３２９が実行する制御プログラムにより、カードユニット３を構成する各部の動作が制御される。
【００５８】
また、本実施例のカードユニット３は、図６に示すように、カードユニット３本体とその上下位置に形成されたユニットホルダ３１’にて係合し、該カードユニット３本体を前面方向に引き出し可能に保持するユニットホルダ３１を介して遊技島に設置されており、カードユニット３の前面下部位置には、シリンダ錠（図示略）が設けられていて、係員等が所持する解錠キーにより施錠を解除することでカードユニット３が引き出しできるようになっている。また、該ユニットホルダ３１には、各種接続ケーブルを中継するためのコネクタが設けられており、前記カードリーダライタ３２７とシステムコントローラ１００とを接続するケーブルや、前記制御ユニット３２８と会員管理コンピュータ１２０とを接続するケーブルも、該ユニットホルダ３１を介して中継接続されていて、これらケーブルが前記カードユニット３本体の引き出し時に絡まって、カードユニット３本体が引き出せなくなってしまうことがないように工夫されている。
【００５９】
また、本実施例に用いた紙幣識別ユニット３２２は、その後端側（紙幣挿入先端側）が紙幣回収路３５２を介して遊技島内を横断するように架設された紙幣搬送路３５０に連結されている。該紙幣識別ユニット３２２は、会員カード３７が受付中であって、読み出された度数が残存しない場合（０度の場合）において、紙幣の挿入を受付け、該受付けた紙幣を識別するように前記制御ユニット３２８にて制御される。この識別により受付けた紙幣が正規の紙幣（１０００円紙幣、２０００円紙幣、５０００円紙幣、１００００円紙幣）であると識別した場合には、該識別結果を前記制御ユニット３２８に出力するとともに、該識別した紙幣を紙幣識別ユニット３２２内に追加入金処理或いはビジターカード３８の発行貸出処理が完了するまで留保し、これら各処理が完了した後に前記紙幣回収路３５２を通じて紙幣搬送路３５０に送り出すとともに、正規の紙幣ではないと識別した場合には受付けた紙幣を返却するようになっている。また、本実施例において前記紙幣識別ユニット３２２は、カードユニット３（カードリーダライタ３２７）とシステムコントローラ１００とが通信接続されていないオフライン時の場合や会員カード３７が受付中ではない場合において、１０００円紙幣のみを受付け、それ以外の紙幣を返却して受付けないように前記制御ユニット３２８にて制御されているとともに、会員カード３７が受付中であって、該会員カード３７により特定される度数が残存する場合には、オンライン／オフラインに拘わらずにいずれの紙幣も受付けないように制御ユニット３２８にて制御されている。
【００６０】
また、本実施例に用いた前記硬貨識別ユニット３２４は、図６に示すように、硬貨返却路３２５を介して前記硬貨返却口３１３に連設されているとともに、硬貨回収路３２６並びに硬貨回収樋３５３を介して遊技島内を横断するように架設されたコイン搬送路３５１に連結されている。該硬貨識別ユニット３２４は、会員カード３７が受付中であって、読み出された度数が残存しない場合（０度の場合）或いは会員カード３７が受付中ではない場合において、硬貨の投入を受付け、該受付けた硬貨を識別するように前記制御ユニット３２８にて制御される。この識別により受付けた硬貨が正規の硬貨（１００円硬貨、５００円硬貨）であると識別した場合には、該識別結果を制御ユニット３２８に出力するとともに、該識別した硬貨を前記コイン搬送路に排出し、正規の硬貨ではないと識別した場合には硬貨返却口３１３より返却する。また、前記硬貨識別ユニット３２４は、会員カード３７が受付中であって、該会員カード３７より読み出された度数が残存する場合には、前記紙幣の場合と同様に硬貨を受付けないように制御ユニット３２８にて制御されている。
【００６１】
また、前記ＲＡＭ３３０内の所定アドレスには、挿入されている会員カード３７の所有者識別情報である会員ＩＤ並びに会員カードＩＤが記憶される会員ＩＤレジスタや、貯蓄球数が記憶される貯蓄球数レジスタや、暗証番号レジスタや、度数が記憶される度数レジスタに加えて、制御ユニット３２８に接続されている前記補給球計数器２４並びにアウト球計数器２６からの計数信号の入力に基づく営業開始時点からの補給球総数並びにアウト球総数が記憶される補給球総数レジスタやアウト球総数レジスタと、会員カード３７の挿入中における補給球計数器２４並びにアウト球計数器２６からの計数信号に基づく会員遊技者の遊技における補給球総数並びにアウト球総数が記憶される会員補給球数（ＩＮ）レジスタや会員アウト球数（ＯＵＴ）レジスタ、前記情報出力部２９８から出力される大当り情報に基づく大当り回数が加算記憶される特賞回数レジスタと、会員カード挿入中における大当り回数が加算記憶される会員特賞回数レジスタと、前記システムコントローラ１００とのオフライン時において遊技並びに追加入金に使用された会員カードＩＤ及び入金ＩＤ及び度数が記憶される履歴記憶領域が設けられており、該履歴記憶領域に記憶されているオフライン時において遊技或いは追加入金の履歴が、前記システムコントローラ１００との通信状態がオンライン状態に復旧した際に、前記システムコントローラ１００に送信されることで、システムコントローラ１００にて管理されている会員カード３７の度数の整合性が保たれるようになっている。
【００６２】
更には、前記補給球総数レジスタやアウト球総数レジスタの営業開始時点からの補給球総数とアウト球総数が前記会員管理コンピュータ１２０へ送信され、且つ会員カード３７の返却時において該会員カード３７の挿入時からの前記会員補給球数（ＩＮ）レジスタ並びに会員アウト球数（ＯＵＴ）レジスタに記憶されている会員遊技者の遊技に伴う補給球数（ＩＮ）とアウト球数（ＯＵＴ）と会員特賞回数レジスタに記憶されている会員特賞回数とが前記会員管理コンピュータ１２０へ送信されることで、パチンコ機２の営業開始時点からの収支とともに、各会員遊技者の収支を会員管理コンピュータ１２０が把握できるようになっている。
【００６３】
また、前記特賞回数レジスタのデータは、営業終了時の締め処理において会員管理コンピュータ１２０へ送信されることで、各パチンコ機２にて営業中に発生した大当り総回数を会員管理コンピュータ１２０が把握することができるようになっているとともに、会員カード３７の返却時に該会員カード３７の挿入時からの前記会員特賞回数レジスタに記憶されている会員特賞回数が会員管理コンピュータ１２０へ送信されることで、各会員の遊技中に発生した大当り回数も管理コンピュータ１２０が把握することができるようになっている。
【００６４】
また、本実施例では、前述のように、会員カード３７への入金を実施するための入金装置２１を遊技場内の所定位置に設けている。この入金装置２１には、前記カードユニット３に設けられている硬貨識別ユニット３２４や紙幣識別ユニット３２２並びに前記カードリーダライタ３２７とほぼ同様の硬貨識別ユニットや紙幣識別ユニット並びに前記カードリーダライタや各種操作ボタン等が設けられており、会員遊技者は、自分が所有する会員カード３７に残存する度数が「０」である場合において、該会員カードに１万円を上限として入金を実施し、該入金した会員カードを前記カードユニット３に挿入することで、該入金に相当する度数を遊技に使用することができるようになっている。
【００６５】
これら会員カード３７への入金においては、前記システムコントローラ１００に対し、会員カード３７に記録されている会員カードＩＤと入金金種と数量とが送信されることで、該システムコントローラ１００にて新たに入金ＩＤ（プリペイドＩＤ）が生成され、該入金ＩＤ（プリペイドＩＤ）と入金額とが対応付けて登録されるとともに、該入金ＩＤ（プリペイドＩＤ）が入金装置２１に返信され、これら入金ＩＤと入金額に相当する度数とが会員カード３７に記録されて返却される。尚、この入金に際してシステムコントローラ１００は、入金装置２１より送信されてきた会員カードＩＤが、システムコントローラ１００に登録されているか、若しくは登録されていても使用不可に設定されていないかを確認し、該確認において問題ない場合において前記入金ＩＤを生成して入金装置２１に返信するようになっており、システムコントローラ１００に登録されていない会員カード３７や後述するブラックリストやあみかけリストに該当する会員カード３７への入金が実施できないようになっている。
【００６６】
また、この入金処理された会員カード３７をカードユニット３にて使用する場合には、前記会員カード３７に記録された入金ＩＤと度数、並びに会員ＩＤと会員カードＩＤとがカードリーダライタ３２７により読み出され、該読み出された情報の内、会員カードＩＤと入金ＩＤ並びに度数とが該カードリーダライタ３２７の制御基板３２７ｂからシステムコントローラ１００に送信されて前記登録情報との比較、照合による会員カード３７の使用の可否を判定する使用可否判定処理が実施され、これら照合が一致した場合においてのみ、該度数の大きさが制御ユニット３２８を通じて前記操作基板１８上の度数表示部１７に表示されることで、遊技に使用することができるようになっていて（図１８参照）、該度数が使用された場合には、該使用度数が前記システムコントローラ１００に送信されて該当する入金ＩＤに対応して登録されている度数の大きさが更新されるようになっている。（図９参照）
【００６７】
次いで、本実施例のシステムコントローラ１００について説明すると、該システムコントローラ１００は、図８に示すように、コンピュータ内部にてデータの送受を行うデータバス１０１に、該システムコントローラ１００が実施する各種処理や後述のカード管理ＤＢの更新処理等を行うＣＰＵ１０２、ワークメモリ等として使用されるＲＡＭ１０３、時刻情報やカレンダ情報を出力するリアルタイムクロック（ＲＴＣ）１０４、磁気ディスクや光磁気ディスクから成る記憶装置１０５、キーボードやマウス等の入力装置１０６、各種情報を表示出力する表示装置１０７、各種情報をプリント出力するプリンタ１０８、前記会員管理コンピュータ１２０とのデータ通信を行う第１通信部１０９、前記カードユニット３（カードリーダライタ３２７）とのデータ通信を行う第２通信部１１０、前記カード会社に設けられた管理サーバとデータ通信可能に接続するためのＤＳＵ１１１が接続された通常のコンピュータである。
【００６８】
また、前記記憶装置１０５には、該システムコントローラ１００の処理を実施するための処理プログラムに加えて、図９（ａ）に示すように、会員カード３７の会員ＩＤ毎に、当該会員カード３７を所持する会員遊技者の氏名（名字並びに名前）、性別、年齢、誕生日、職業、住所からなる会員遊技者の会員情報と、当該会員カード３７に記録されている会員情報の更新の有無（会員カード３７に記録されている会員情報が最新のものに更新されている場合には「更新済」が登録され、会員情報が記録されていない場合や最新のものに更新されていない場合には未更新が登録される）と、が登録される会員属性情報テーブル（遊技者データベース）と、図９（ｂ）に示すように、前記カードユニット３において後述の追加入金処理が実施される毎に付与される入金ＩＤ毎に、入金ＩＤに該当する追加入金処理が実施された会員カード３７の会員ＩＤと、入金ＩＤに該当する追加入金処理が実施されたカードユニット３の装置ＩＤである入金装置と、追加入金処理に供された入金額に相当する入金度数と、該入金度数から後述の貸出処理に使用された使用度数と、前記入金度数のうち未だ貸出処理に使用されていない残存度数と、が登録される会員カードマスターテーブルと、図９（ｃ）に示すように、前記カードユニット３の装置ＩＤ毎に、当該カードユニット３が設置されている遊技島の島番号と、対応するパチンコ機２の機種名と、装着されているビジターカード３８のカードＩＤと、後述の貸出処理に使用された度数の累計である総使用度数と、該総使用度数のうちビジターカード３８から使用された使用度数と、会員カード３７から使用された使用度数と、が登録されるカードユニット別データテーブルと、から構成されるカード管理データベース（ＤＢ）が記憶されており、該カード管理ＤＢにおける登録データは、前記カードユニット３や会員管理コンピュータ１２０から送信される各種情報並びに所定期間（本実施例では１日に１回実施される開店処理時）毎に前記会員管理コンピュータ１２０から送信される情報に基づいて逐次最新のデータに更新されるようになっている。
【００６９】
次いで、本実施例の催事管理装置である会員管理コンピュータ１２０について説明すると、該会員管理コンピュータ１２０は、図１０に示すように、コンピュータ内部にてデータの送受を行うデータバス１２１に、該会員管理コンピュータ１２０が実施する会員の帰属情報を受付けて会員ＩＤに対応付けて登録管理するとともに、これら会員カードの使用に基づく各情報に基づいてイベント評価等の各種の分析処理や後述の会員管理ＤＢの更新処理並びに前記システムコントローラ１００からの売上情報に基づく売上集計等の各種データの集計処理とともに、本日がイベント対象日であるか否かを判断し、該判断にて対象日と判断されたイベントの情報を後述する表示装置１２７に表示する制御等を行う催事対象日判断手段並びに催事情報抽出手段としてのＣＰＵ１２２、ワークメモリ等として使用されるＲＡＭ１２３、日付並びに時刻情報やカレンダ情報を出力するための日付情報出力手段としてのＲＴＣ１２４、磁気ディスクや光磁気ディスクから成る催事設定記憶手段としての記憶装置１２５、新規会員に関する個人情報等の会員帰属情報等の各種情報を受付けるためのキーボードやマウス等の入力装置１２６、新規会員の登録画面やイベント設定画面、本日が対象日とされたイベントの内容が表示されるイベント情報画面等を表示するための表示手段としての表示装置１２７や、該表示内容等を印刷出力するためのプリンタ１２８、前記システムコントローラ１００とのデータ通信を行う収集手段としての第１通信部１２９や前記カードユニット３（制御ユニット３２８）とのデータ通信を行う収集手段としての第２通信部１３０、が接続された通常のコンピュータである。
【００７０】
また、前記記憶装置１２５には、該会員管理コンピュータ１２０が処理を実施するための各種処理プログラムに加えて、図１１（ａ）に示すように、会員カード３７の会員ＩＤ並びに会員カードＩＤ毎に、その時点の貯蓄玉数と、本人確認のための暗証番号と、来店回数と、来店ポイントと、最後の来店日と、これら来店回数や収支金額等に基づく会員ランクと、会員登録日、並びに当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報と、当該会員カード３７を所持する会員遊技者が本日イベント対象者であるか否かを示すイベント対象者フラグ（本日のイベント対象者である場合には「Ｙｅｓ」が登録され、イベント対象者ではない場合には「Ｎｏ」が登録される）と、後述する会員登録／変更画面において新規登録または登録変更が実施された場合に登録される更新状況（新規登録または登録変更が実施された場合には「Ｙｅｓ」が登録され、これら新規登録または登録変更に基づく登録内容が、前記システムコントローラ１００の前記会員属性情報テーブルに反映された時点で「Ｎｏ」が登録される）と、新規会員の帰属情報等の各種情報の登録がなされた際に「未」から「既」が登録される発行状況と、が登録される会員情報テーブル（遊技者データベース）が記憶されており、前記発行状況には、前記システムコントローラ１００から送信されてきた新規発行可能な会員ＩＤ並びに会員カードＩＤが登録された際に、「未」が登録されて、該発行状況を確認することで、その時点にて未発行でかつ発行可能な会員カード３７を選出できるようになっている。
【００７１】
また、本実施例の前記記憶装置１２５には、前記会員情報テーブル（遊技者データベース）に加えて図１１（ｂ）に示すように、前記表示装置１２７に表示されるイベント登録画面（図示略）にて登録された登録内容であるイベント名と、実施期間と、実施時間と、対象条件（全会員、女性会員、来店回数５０回以上の会員等）と、対象となるカードユニット３の範囲（全ユニット、〜番島、対象となるカードユニット３の個別の装置ＩＤ等）と、対象者に対する特典（無制限、粗品進呈、等価交換等）と、対象となるカードユニット３において対象者である旨を報知する際の報知条件（遊技開始時、使用額〜円以上、遊技開始〜分後等）と、対象となるカードユニット３での事前報知の実施の有無（実施する場合には「Ｙｅｓ」が登録され、実施しない場合には「Ｎｏ」が登録される）と、イベント効果の比較において比較データとして用いるデータの集計期間（日数）と、が各イベント毎に付与されたイベントＮｏ．毎に登録されるイベントテーブルが記憶されている。
【００７２】
更に、前記記憶装置１２５には、図１２（ｃ）に示すように、各会員遊技者の遊技履歴として、遊技（来店）日、遊技した台番号、遊技開始時間並びに終了時間と特賞回数と遊技時間、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額と遊技場の勝敗、とが各会員遊技者毎に登録されている会員来店履歴データベース（ＤＢ）が記憶されている。
【００７３】
また、前記記憶装置１２５には、図１２（ｄ）に示すように、前記締め処理に基づきシステムコントローラ１００から出力される各カードユニット３毎の会員並びにビジターの各売上並びに総売上情報とともに、前記カードユニット３から出力される前記補給球総数レジスタやアウト球総数レジスタに記憶されている営業開始時点からの補給球総数とアウト球総数の差球に基づき算出されるパチンコ機２の支出金額や、収支金額、並びに前記アウト球総数をパチンコ機２において単位時間（１分間）に打ち出させる平均打出数で除することで得られる稼働時間（分）や営業時間に占める稼働時間（分）の割合である稼働率とが、各台番号とその台タイプ並びに機種と島番号とともに登録される台別履歴データベース（ＤＢ）が記憶されており、これら各データベースに登録されている情報に基づいて、後述する各種情報の出力やイベント効果の集計が実施されるようになっている。尚、本実施例において支出金額の算出方法としては、前記補給球総数（補給球数（ＩＮ））からアウト球総数（アウト球数（ＯＵＴ））を差し引いた差球数に特殊景品との交換率を乗じて支出金額を算出している。
【００７４】
また、本実施例の会員管理コンピュータ１２０の表示装置１２７には、図１３に示すように、前記イベントテーブルに登録される各イベント毎のイベントデータの登録または変更を実施するための催事設定手段としてのイベント設定画面や、図１４に示すように、会員管理コンピュータ１２０の起動時等に表示される本日のイベント情報画面が表示可能とされており、これら各設定画面において必要事項の入力または変更を行うことで、前記会員管理ＤＢにおける各テーブルの登録データが更新されるとともに、該登録データに基づく各種の情報が表示出力されるようになっている。
【００７５】
この本実施例における前記イベント設定画面においては、図１３に示すように、前記イベントテーブルに現在登録されているイベントデータが各イベントＮｏ．毎に表示されるイベントテーブル表示エリア４００と、既存のイベントデータの変更、新規イベントデータの設定を実施可能とされたイベント設定エリア４０１と、が設けられている。
【００７６】
このイベント設定エリア４０１には、イベント内容としてイベント名を入力するための催事内容設定部であるイベント名入力部４０２と、当該イベントの実施期間を設定するための催事対象日設定部である期間設定部４０３と、当該イベントの開始時間並びに終了時間を設定するための催事時間設定部である時間設定部４０４と、イベント対象者となる遊技者の条件である対象条件とを設定するための催事対象条件設定部である対象条件設定部４０５、イベント対象となるカードユニット３の範囲である対象範囲を設定するための対象範囲設定部４０６、当該イベントにより提供される特典を設定するための催事特典設定部である特典設定部４０７、イベント対象者である旨の報知を実施する際の報知条件を設定するための報知条件設定部４０８、並びに事前報知の実施の有無を設定する事前報知設定部４０９とが設けられており、該イベント設定画面において「新規作成」を入力した後、前記各設定部にて該当する設定を実施した後、「登録」を入力することで、新規イベントＮｏ．が発行されるとともに、該イベントＮｏ．に対応して、これらイベント設定エリア内な各設定部にて設定された内容が前記イベントテーブルに登録され、更には、前記イベントテーブル表示エリア４００に、該登録されたイベントデータが追加表示されるようになっている。
【００７７】
また、前記イベントテーブル表示エリア４００に表示された任意のイベントＮｏ．を指定し、「変更」を入力すると前記イベント設定エリア４０１には登録されているイベントデータが表示され、イベント設定エリアにおいて、イベントデータを変更入力した後、「登録」を入力することで、イベントテーブルにおいて登録されている前記指定されたイベントＮｏ．のイベントデータが、該変更入力されたイベントデータに更新されるとともに、前記イベントテーブル表示エリア４００に表示されている当該イベントＮｏ．のイベントデータも更新されるようになっている。また、前記イベントテーブル表示エリア４００に表示された任意のイベントＮｏ．を指定し、「削除」を入力することで、イベントテーブルにおいて登録されている前記指定されたイベントＮｏ．並びに当該イベントＮｏ．のイベントデータが削除されるとともに、前記イベントテーブル表示エリア４００に表示されている当該イベントＮｏ．並びに当該イベントＮｏ．のイベントデータも削除されるようになっている。
【００７８】
これらイベントテーブルに登録された各イベントの内、前記会員管理コンピュータ１２０の起動時等においては、前記ＲＴＣ１２４から出力されてくる本日の日付と、前記イベントテーブルに登録されている各イベントの期間（対象日）とを前記ＣＰＵ１２２が比較し、登録されている実施期間が本日に該当するイベントを抽出して、図１４に示すイベント情報画面のイベント情報表示部４１０に、抽出した全てのイベントの、イベント番号、開始時刻、終了時刻、開始日付並びに終了日付から成る実施期間、イベント名称、イベントの対象となるための条件、対象者に付与される特典内容等が表示されるようになっている。
【００７９】
また、本実施例では、前記イベント情報画面のイベント情報表示部４１０の下部領域に、期間指定手段としての期間指定検索入力部４１１を設けており、該期間指定検索入力部４１１にて、イベント内容を確認したい期間或いは月度を指定することで、前記イベントテーブルに登録されている全イベントの内、その指定期間に該当する全てのイベントが、前記ＣＰＵ１２２により抽出されて、図１５に示すように、抽出された全イベントの内容が、一覧表示されるようになっている。
【００８０】
このように、イベント内容を確認したい期間或いは月度の指定を受付けて、指定された期間に該当するイベントを抽出し、その抽出された各イベントの内容を表示できるようにすることは、イベントテーブルの登録状況を確認できるとともに、これら登録されている各イベントに対する事前準備等への意識付けが可能となることから好ましいが、本発明はこれに限定されるものではなく、これら期間指定による抽出表示機能を有しない構成としても良い。
【００８１】
また、本実施例では、前記イベント設定画面に期間設定部４０３を設けて、イベントの対象日をイベントの開始日と終了日の期間として受付けるようにしているが、本発明はこれに限定されるものではなく、これら期間設定部４０３をイベントの対象日（複数の場合は、各日付を個別に受け付ける）にて受け付けるようにしても良い。
【００８２】
以下、本実施例の遊技用システムにおける各部の処理状況について説明する。
【００８３】
本実施例のカードユニット３は、前記会員カード挿入口３１９に挿入された会員カード３７の使用の可／不可を判別する受付処理と、この受付処理において受付けられた会員カード３７より読み出された度数をパチンコ玉の貸出に使用するための貸出処理と、前記会員カード３７が受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、該識別された金額に相当する度数（識別金額を１００で除算した値）を、受付けられている会員カード３７より読み出された度数に加算する追加入金処理と、前記会員カード３７が受付けられていない場合に低額紙幣（１０００円紙幣）または硬貨（１００円硬貨、５００円硬貨）が挿入または投入されて識別された場合に、該識別された金額に相当する度数を前記ビジターカード装着口３１８に挿入されたビジターカード３８に記録した後、該記録した度数の全てをパチンコ玉の貸出に使用する発行貸出処理と、以前の遊技にて貯蓄した貯蓄玉数を再度遊技に使用することのできる払戻処理と、を行うようになっている。
【００８４】
まず、前記受付処理を図１７に基づき説明すると、前記カードユニット３の会員カード挿入口３１９に会員カード３７が挿入されると、カードリーダライタ３２７は、該挿入された会員カード３７から会員ＩＤと入金ＩＤと度数とを読み出して、使用許諾要求と読み出した入金ＩＤと度数とを各カードユニット３に個別に付与された装置ＩＤとともに前記システムコントローラ１００に送信する。
【００８５】
これら使用許諾要求並びに入金ＩＤ、度数、装置ＩＤを受信したシステムコントローラ１００は、前記会員カードマスターテーブルにおいて受信した入金ＩＤに対応して登録されている残存度数を抽出し、前記カードユニット３より受信した度数と前記抽出した残存度数とを照合し、照合が一致した場合において、使用許諾を送信元のカードユニット３（カードリーダライタ３２７）に返信する。また、前記照合において照合が一致しない場合には、カードユニット３（カードリーダライタ３２７）から受信した度数が、前記会員カードマスターテーブルに登録されている残存度数未満であるかを判別し、残存度数未満である場合には、該会員カードマスターテーブルの残存度数を前記受信した度数に更新するとともに、使用許諾を送信元のカードユニット３（カードリーダライタ３２７）に返信する。また、前記会員カードマスターテーブルに該当する入金ＩＤが存在しない場合や受信した度数が会員カードマスターテーブルの残存度数を超える場合には、使用不可を送信元のカードユニット３（カードリーダライタ３２７）に返信する。
【００８６】
前記カードユニット３（カードリーダライタ３２７）が使用許諾を受信した場合には、挿入された会員カード３７を使用可能とし、前記読み出した会員ＩＤと度数と、を制御ユニット３２８に送信する。尚、システムコントローラ１００から使用不可を受信した場合には、挿入された会員カード３７は使用不可として返却する。
【００８７】
前記カードリーダライタ３２７より会員ＩＤと度数と、を受信した制御ユニット３２８では、受信した会員ＩＤと度数とをＲＡＭ３３０に記憶するとともに、該記憶した度数を前記度数表示部３０９並びにパチンコ機２の度数表示部１７に表示し、前記会員カード受付中表示部３４５を点灯する。
【００８８】
次いで、前記制御ユニット３２８は、会員管理コンピュータ１２０に対して会員カード３７を受付けた旨を示す会員カード受付通知と前記記憶した会員ＩＤと装置ＩＤとを送信する。
【００８９】
これら会員カード受付通知並びに会員ＩＤ、装置ＩＤを受信した会員管理コンピュータ１２０は、前記会員情報テーブルにおいて受信した会員ＩＤに対応して登録されている来店日の日付が本日の日付であるかを判別し、来店日が本日の日付でない場合には、来店日の項目を本日の日付に更新するするとともに、来店回数に１を、来店ポイントに１００を各々加算更新するようになっている。
【００９０】
また、本実施例のカードユニット３は、システムコントローラ１００との通信ができない状態（オフライン状態）であっても前記会員カード３７を受付け可能とされている。このオフライン状態のカードユニット３における受付処理について説明すると、まず、前記カードユニット３の会員カード挿入口３１９に会員カード３７が挿入されると、カードリーダライタ３２７は、該挿入された会員カード３７から会員ＩＤと入金ＩＤと度数とセキュリティー情報とを読み出す。
【００９１】
次いで、読み出したセキュリティー情報と予め登録されているセキュリティー情報とを照合し、該照合が一致した場合には、挿入された会員カード３７を使用可能とし、前記読み出した会員ＩＤと度数と、を制御ユニット３２８に送信する。尚、読み出したセキュリティー情報と予め登録されているセキュリティー情報が異なる場合には、挿入された会員カード３７は使用不可として返却する。
【００９２】
前記カードリーダライタ３２７より会員ＩＤと度数とを受信した制御ユニット３２８では、受信した会員ＩＤと度数とをＲＡＭ３３０に記憶するとともに、該記憶した度数を前記度数表示部３０９並びにパチンコ機２の度数表示部１７に表示し、前記会員カード受付中表示部３４５を点灯する。
【００９３】
このように、システムコントローラ１００と通信できない状態（オフライン状態）でも会員カード３７を使用可能とすることは、通信障害等でシステムコントローラ１００との通信が不可となった場合でも、会員遊技者は遊技を実施できるようになり、遊技場の損害を最小限に抑えることが可能となることから好ましいが、本発明はこれに限定されるものではない。
【００９４】
また、前記カードユニット３においては、前記会員カード３７が受付けられ、前記ＲＡＭ３３０に記憶されている度数が残存する場合、すなわち前記度数表示部３０９並びにパチンコ機２の度数表示部１７に度数が残存する場合に前記貸出ボタン１６が入力されることで、該度数を使用してパチンコ機２の遊技に使用されるパチンコ玉の貸出が実施される。
【００９５】
この貸出処理の制御状況を図１６に基づき説明すると、前記パチンコ機２の賞球制御基板２３７は、前記カードユニット３の制御ユニット３２８と接続されて通信が可能な状態であるとスタンバイ状態となり、前記ＰＲＤＹをＬＯＷとする（Ｓ１）。
【００９６】
このようにＰＲＤＹが出力されている状態において前記貸出ボタン１６が操作されると、制御ユニット３２８は、前記ＢＲＤＹをＬＯＷとし（Ｓ２）、この状態において、更に前記ＢＲＱをＬＯＷとする（Ｓ３）。
【００９７】
次いで、前記賞球制御基板２３７は、前記ＢＲＤＹのＬＯＷを検出した状態においてＢＲＱのＬＯＷを検出すると、パチンコ玉の払い出しが可能であるか確認し、可能である場合には、前記ＥＸＳをＬＯＷとする（Ｓ４）。
【００９８】
該ＥＸＳのＬＯＷを検出した制御ユニット３２８は、前記ＢＲＱをＨＩＧＨとし（Ｓ５）、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳをＨＩＧＨとする（Ｓ６）。
【００９９】
該ＥＸＳのＨＩＧＨを検出した制御ユニット３２８は、前記記憶した度数から１度を減算するとともに、前記度数表示部１７に表示されている度数から１度を減算して表示更新する。
【０１００】
制御ユニット３２８は、これら（Ｓ３）〜（Ｓ６）の信号制御並びに度数の減算更新制御、前記貸出信号の出力制御を、前記貸出単位変更ボタン３０６にて設置された貸出度数分繰返し実施し、これら制御が終了した後、ＢＲＤＹをＨＩＧＨとして（Ｓ７）、貸出処理を終了する。
【０１０１】
このようにカードユニット３の制御ユニット３２８から出力されるＢＲＱのＨＩＧＨの検出回数に基づき、前記賞球制御基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【０１０２】
尚、本実施例においては、前記Ｓ６が終了した段階で１度を減算するようにしているが、前記Ｓ３〜Ｓ６の処理を貸出度数分（例えば５度分の貸出であれば５回）繰返し実施した後、すなわち、貸出度数分のパチンコ玉が払い出された後、該貸し出された度数（例えば５度分の貸出であれば５度）を減算するようにしても良い。
【０１０３】
この会員カード３７による貸出処理の終了時に制御ユニット３２８は、カードリーダライタ３２７に、該貸出処理により使用された使用度数を送信する。これに基づきカードリーダライタ３２７は、受付中の会員カード３７に記録されている度数を、前記制御ユニット３２８より受信した使用度数分減算した度数に更新記録するとともに、図１７に示すように、会員カードによる貸出処理がなされたことを示す会員貸出完了通知と挿入されている会員カード３７の入金ＩＤと前記制御ユニット３２８より受信した使用度数と装置ＩＤとをシステムコントローラ１００に対して送信するようになっている。
【０１０４】
また、これら会員貸出完了通知並びに入金ＩＤ、使用度数、装置ＩＤを受信したシステムコントローラ１００では、カード管理ＤＢの会員カードマスターテーブルにおいて該当する入金ＩＤの残存度数から前記受信した使用度数を減算更新し、使用度数に対して前記受信した使用度数を加算更新するとともに、前記カードユニット別データテーブルの前記受信した装置ＩＤに該当する総使用度数並びに会員カードの使用度数に対して前記受信した使用度数を加算更新するようになっている。
【０１０５】
また、本実施例のカードユニット３においては、会員カード３７が受付けられている場合に、前記プレイ選択ボタン３１６にて「貯蓄」が選択されることで、該受付中の会員カード３７の会員ＩＤにより特定される貯蓄玉数の払戻を行う払戻処理を実施できるようになっている。
【０１０６】
この払戻処理を図１７に基づき説明すると、前記会員カード３７が受付けられ、制御ユニット３２８のＲＡＭ３３０に前記受付中の会員カード３７から読み出された会員ＩＤと度数とが記憶されている場合に、プレイ選択ボタン３１６の選択操作により「貯蓄」が選択されると、暗証番号の入力待ちの状態となる。
【０１０７】
この状態で暗証番号が入力されると、制御ユニット３２８は、貯玉抽出要求と前記入力された暗証番号と前記記憶されている会員ＩＤと装置ＩＤとを会員管理コンピュータ１２０に対して送信する。
【０１０８】
これら貯玉抽出要求並びに暗証番号、会員ＩＤ、装置ＩＤを受信した会員管理コンピュータ１２０は、前記会員情報テーブルにおいて受信した会員ＩＤに対応する暗証番号並びに貯蓄玉数を抽出するとともに、該抽出した暗証番号と前記受信した暗証番号とを照合する。この照合において暗証番号が一致した場合には、前記抽出した貯蓄玉数を送信元のカードユニット３（制御ユニット３２８）に返信する。
【０１０９】
前記会員管理コンピュータ１２０より貯蓄玉数を受信した制御ユニット３２８は、受信した貯蓄玉数をＲＡＭ３３０に記憶するとともに、該記憶した貯蓄玉数に基づき算出した再プレイ可能回数を会員カード用表示部３１４に表示し、これら表示されている再プレイ可能回数が残存する場合において貯蓄玉数の払戻が可能な状態となる。
【０１１０】
この状態において、エンターキー３１７が入力されると、前述の貸出処理とほぼ同様の要領でパチンコ機２における所定玉数の払出が実施される。
【０１１１】
この際、前記制御ユニット３２８は、記憶されている貯蓄玉数から払い出された玉数を減算更新し、会員カード用表示部３１４に表示されている再プレイ可能回数を１回分減算更新する。また、図１７に示すように、前記制御ユニット３２８は、貯蓄玉数の払戻がなされた旨を示す払戻完了通知と払戻玉数と受付中の会員カード３７の会員ＩＤと装置ＩＤとを会員管理コンピュータ１２０に対して送信するようになっている。
【０１１２】
また、これら払戻完了通知並びに払戻玉数、会員ＩＤ、装置ＩＤを受信した会員管理コンピュータ１２０では、会員管理ＤＢの会員情報テーブルにおいて前記受信した会員ＩＤに該当する貯蓄玉数から、前記受信した払出玉数を減算更新するようになっている。
【０１１３】
次いで、前記追加入金処理を図１７に基づき説明すると、会員カード３７が受付中で、該会員カード３７より読み出された度数が残存しない場合（０度の場合）に、紙幣（１０００円紙幣、２０００円紙幣、５０００円紙幣、１００００円紙幣）または硬貨（１００円硬貨、５００円硬貨）が挿入または投入されると、紙幣識別ユニット３２２または硬貨識別ユニット３２４において挿入された紙幣または投入された硬貨の金額が識別され、識別金額が前記制御ユニット３２８に出力される。
【０１１４】
次いで制御ユニット３２８は出力された識別金額を度数（識別金額を１００で除算した値）に変換し、該変換した度数（入金度数）をカードリーダライタ３２７に送信する。
【０１１５】
入金度数を受信したカードリーダライタ３２７は、追加入金がなされた旨を示す入金通知と受信した入金度数と受付中の会員カード３７の会員ＩＤと装置ＩＤとをシステムコントローラ１００に送信する。
【０１１６】
これら入金通知並びに入金度数、会員ＩＤ、装置ＩＤを受信したシステムコントローラ１００では、入金ＩＤを生成し、該生成した入金ＩＤと、前記受信した会員ＩＤと、前記受信した入金装置（カードユニット３）の装置ＩＤと、前記受信した入金度数と、残存度数と、を対応付けて会員カードマスターテーブルに登録するとともに、前記生成した入金ＩＤを送信元のカードユニット３（カードリーダライタ３２７）に返信する。
【０１１７】
システムコントローラ１００より入金ＩＤの返信を受けたカードリーダライタ３２７においては、受付中の会員カード３７に記録されている入金ＩＤ並びに度数、入金装置の装置ＩＤを、前記システムコントローラ１００より受信した入金ＩＤ並びに入金度数、当該カードユニット３の装置ＩＤに各々更新記録するとともに、更新完了を制御ユニット３２８に送信する。
【０１１８】
カードリーダライタ３２７より更新完了を受信した制御ユニット３２８では、前記ＲＡＭ３３０に記憶されている度数に前記変換した入金度数を加算更新し、該更新した度数を前記度数表示部３０９並びに度数表示部１７に表示することで、遊技者は更新された度数に基づく前記貸出処理の実施が行えるようになる。
【０１１９】
尚、本実施例のカードユニット３では、システムコントローラ１００との通信状態がオフライン状態の場合であっても、会員カード３７が受付中で、該会員カード３７より読み出された度数が残存しない場合（０度の場合）であれば、１０００円以下の追加入金処理が実施できる。また、オフライン状態のカードユニット３による追加入金処理で加算された度数は当該カードユニット３においてのみ貸出処理に使用できるようになっている。
【０１２０】
また、本実施例のカードユニット３においては、前記返却ボタン１５が入力されると、受付中の会員カード３７を会員カード挿入口３１９より排出するとともに前記会員カード受付中表示部３４５を所定時間（例えば５秒間）点滅し、その後消灯して遊技者に返却するようになっている。
【０１２１】
次いで、前記発行貸出処理を図１８に基づき説明すると、前記会員カード３７が受付中ではない場合に、低額紙幣（１０００円紙幣）または硬貨（１００円硬貨、５００円硬貨）が挿入または投入されると、紙幣識別ユニット３２２または硬貨識別ユニット３２４において挿入された紙幣または投入された硬貨の金額が識別され、識別金額が前記制御ユニット３２８に出力される。これに基づき制御ユニット３２８は、前記ＬＥＤモジュール３４６を発光させ、透明カバー部材３１８’を点灯させるとともに、前記出力された識別金額を度数（識別金額を１００で除算した値）に変換し、該変換した度数（発行度数）をカードリーダライタ３２７に送信する。
【０１２２】
この発行度数を受信したカードリーダライタ３２７では、装着されているビジターカード３８に前記受信した発行度数を記録することで、ビジターカード３８を遊技者に対して発行するとともに、該ビジターカード３８に記録した発行度数とカードＩＤとを読み取り、該読み取った発行度数を制御ユニット３２８に送信する。
【０１２３】
カードリーダライタ３２７より発行度数を受信した制御ユニット３２８では、受信した発行度数をＲＡＭ３３０に記憶するとともに、度数表示部３０９並びに度数表示部１７に表示した後、読み出した全ての度数を前記貸出処理に使用し、パチンコ機２にパチンコ玉を払い出させるとともに、これら全ての度数の貸出処理が終了した後、制御ユニット３２８は貸出処理の終了をカードリーダライタ３２７に送信する。
【０１２４】
これに基づきカードリーダライタ３２７は、前記ビジターカード３８に記録した度数を０度に更新した後、更新完了を制御ユニット３２８に送信する。
【０１２５】
カードリーダライタ３２７より更新完了を受信した制御ユニット３２８では、ＬＥＤモジュール３４６の発光を停止し、透明カバー部材３１８’を消灯する。このようにして貸出されたパチンコ玉を使用して遊技者はパチンコ機２における遊技を実施できるようになっている。
【０１２６】
また、この発行貸出処理の終了時にカードリーダライタ３２７は、図２１に示すように、前記ビジターカード３８による発行貸出処理がなされたことを示す発行貸出完了通知と該ビジターカード３８のカードＩＤとその際使用された使用度数（１度または５度または１０度）と装置ＩＤとをシステムコントローラ１００に対して送信するようになっている。
【０１２７】
また、これら発行貸出完了通知並びにカードＩＤ、使用度数、装置ＩＤを受信したシステムコントローラ１００では、カード管理ＤＢのカードユニット別データテーブルにおいて前記受信した装置ＩＤに該当する総使用度数並びにビジターカードの使用度数に、前記受信した使用度数を加算更新するとともに、登録されているビジターカード３８のカードＩＤが前記受信したカードＩＤと異なる場合には受信したカードＩＤに更新する。
【０１２８】
以上説明したように、本実施例の催事管理装置である会員管理コンピュータ１２０を用いれば、催事設定手段である図１３に示すイベント設定画面にて、予めイベントを実施する期間や、イベント内容、イベントの開始時間並びに終了時間、イベント対象者の対象条件等を設定しておくことで、本日がその日付となった際に、本日が催事対象日である旨とともに、そのイベントの情報が、図１４に示すイベント情報画面に表示されるようになるため、これらイベントを間違えたり実施を忘れたりすることが回避できるとともに、これらイベントの管理に係わる労力を低減することができる。
【０１２９】
前記実施例における各要素は、本発明に対して以下のように対応している。
本発明の請求項１は、少なくとも日付情報を出力可能な日付情報出力手段（ＲＴＣ１０４）と、少なくとも催事対象日を設定するための催事対象日設定部（期間設定部４０３）を含む催事設定手段（イベント設定画面）と、該催事設定手段（イベント設定画面）により設定された少なくとも催事対象日を含む設定内容を記憶する催事設定記憶手段（記憶装置１２５）と、前記日付情報出力手段（ＲＴＣ１０４）から出力される本日の日付情報と前記催事設定記憶手段（記憶装置１２５）に記憶されている催事対象日を比較することにより、本日が催事対象日であるか否かを判断する催事対象日判断手段（ＣＰＵ１２２）と、該催事対象日判断手段（ＣＰＵ１２２）によって本日が催事対象日であると判断されたことに基づいて、本日が催事対象日である旨を表示する表示手段（表示装置１２７）と、を備える。
【０１３０】
本発明の請求項２は、前記催事設定手段（イベント設定画面）は、催事内容を設定する催事内容設定部（イベント名入力部４０２）を含み、前記催事設定記憶手段（記憶装置１２５）は該催事内容設定部（イベント名入力部４０２）にて設定された催事内容を、前記催事対象日設定部（期間設定部４０３）にて設定された催事対象日に対応付けて記憶し、前記表示手段（表示装置１２７）は、本日が催事対象日である旨とともに該催事対象日に対応付けて前記催事設定記憶手段（記憶装置１２５）に登録されている催事内容を表示する。
【０１３１】
本発明の請求項３は、前記催事設定手段（イベント設定画面）は、催事開始時間および催事終了時間を設定する催事時間設定部（時間設定部４０４）を含み、前記催事設定記憶手段（記憶装置１２５）は該催事時間設定部（時間設定部４０４）にて設定された催事開始時間および催事終了時間を、前記催事対象日設定部（期間設定部４０３）にて設定された催事対象日に対応付けて記憶し、前記表示手段（表示装置１２７）は、本日が催事対象日である旨とともに該催事対象日に対応付けて前記催事設定記憶手段（記憶装置１２５）に登録されている催事開始時間および催事終了時間を表示する。
【０１３２】
本発明の請求項４は、前記催事設定手段（イベント設定画面）は、催事対象となる条件を設定するための催事対象条件設定部（対象条件設定部４０５）を含み、前記催事設定記憶手段（記憶装置１２５）は該催事対象条件設定部（対象条件設定部４０５）にて設定された催事対象条件を、前記催事対象日設定部（期間設定部４０３）にて設定された催事対象日に対応付けて記憶し、前記表示手段（表示装置１２７）は、本日が催事対象日である旨とともに該催事対象日に対応付けて前記催事設定記憶手段に登録されている催事対象条件を表示する。
【０１３３】
本発明の請求項５は、前記催事設定手段（イベント設定画面）は、催事による特典内容を設定するための催事特典設定部（特典設定部４０７）を含み、前記催事設定記憶手段（記憶装置１２５）は該催事特典設定部（特典設定部４０７）にて設定された催事特典を、前記催事対象日設定部（期間設定部４０３）にて設定された催事対象日に対応付けて記憶し、前記表示手段（表示装置１２７）は、本日が催事対象日である旨とともに該催事対象日に対応付けて前記催事設定記憶手段（記憶装置１２５）に登録されている催事特典を表示する。
【０１３４】
本発明の請求項６は、前記催事対象日設定部（期間設定部４０３）は、催事対象日として催事開始日および催事終了日を設定可能とされ、前記催事設定記憶手段（記憶装置１２５）は該催事対象日設定部（期間設定部４０３）にて設定された催事開始日および催事終了日を記憶し、前記催事対象日判断手段（ＣＰＵ１２２）は、本日が催事開始日と催事終了日との期間に該当するか否かを判断し、前記表示手段（表示装置１２７）は、該催事対象日判断手段（ＣＰＵ１２２）によって本日が催事対象日であると判断されたことに基づいて、本日が催事対象日である旨とともに前記催事設定記憶手段（記憶装置１２５）に登録されている催事開始日および催事終了日を表示する。
【０１３５】
本発明の請求項７は、表示対象となる期間を指定するための期間指定手段（期間指定検索入力部４１１）と、該期間指定手段（期間指定検索入力部４１１）にて指定された期間内に催事対象日が該当する登録内容を抽出する催事情報抽出手段（ＣＰＵ１２２）と、を備え、前記表示手段（表示装置１２７）は該催事情報抽出手段（ＣＰＵ１２２）による抽出結果を表示する。
【０１３６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１３７】
例えば、前記実施例では、イベントの対象日以外に、イベントの内容もイベント設定画面にて受け付けるためにイベント名入力部４０２を設けているが、本発明はこれに限定されるものではなく、これらイベント名入力部４０２を有しない構成としても良い。
【０１３８】
また、前記実施例では、イベントの対象日以外に、イベントの開始時間および終了時間をイベント設定画面にて受け付けるために時間設定部４０４を設けているが、本発明はこれに限定されるものではなく、これら時間設定部４０４を有しない構成としても良い。
【０１３９】
また、前記実施例では、イベントの対象日以外に、イベントの対象となる条件をイベント設定画面にて受け付けるために対象条件設定部４０５を設けているが、本発明はこれに限定されるものではなく、これら対象条件設定部４０５を有しない構成としても良い。
【０１４０】
また、前記実施例では、イベントの対象日以外に、イベントによる特典内容をイベント設定画面にて受け付けるために特典設定部４０７を設けているが、本発明はこれに限定されるものではなく、これら特典設定部４０７を有しない構成としても良い。
【０１４１】
また、前記実施例では、会員遊技者の情報を管理する会員管理コンピュータ１２０を催事管理装置としているが、本発明はこれに限定されるものではなく、これら催事管理装置を会員管理コンピュータ１２０とは個別に設けたり、更には、遊技情報を収集、管理するホールコンピュータにて催事管理装置を構成しても良い。
【０１４２】
また、前記実施例では、会員遊技者を中心とした催事を例に説明したが、本発明はこれに限定されるものではなく、例えば、前記ホールコンピュータにて催事管理装置を構成した場合等においては、パチンコ機２の始動回数が所定回以上に達した遊技者をイベント対象者としたり、所定回数以上の確変継続回数に達した遊技者をイベント対象者とするように、イベント対象条件を遊技情報として設定できるようにしても良い。
【０１４３】
また前記実施例では、遊技機であるパチンコ機２に使用される遊技媒体としてパチンコ玉を用いているが、これら遊技媒体をコインや点数、更には後述する画像式のパチンコ機やスロットマシン等における画像にて形成されたパチンコ玉やコイン等としても良く、これら遊技媒体は遊技において使用される媒体であれば、本発明の遊技媒体に含まれるものであり、その形態が限定されるものではない。
【０１４４】
【発明の効果】
本発明は次の効果を奏する。
（ａ）請求項１の発明によれば、前記催事設定手段の催事対象日設定部にて、予め催事を実施する日付を設定しておくことで、本日がその日付となった際に、本日が催事対象日である旨が表示手段に表示されるようになるため、催事のスケジュール管理に伴う労力を低減することができる。
【０１４５】
（ｂ）請求項２の発明によれば、複数の催事内容を設定できるとともに、本日が催事対象日ならば、その催事内容が表示手段に表示されるようになり、該表示された催事内容に基づき催事営業を行うことができる。
【０１４６】
（ｃ）請求項３の発明によれば、時間帯で区切るような催事の設定を実施できるとともに、本日が催事対象日ならば、前記表示手段に催事開始時間および催事終了時間が表示されるようになるため、該催事開始時間および催事終了時間に基づいて催事営業を行うことができる。
【０１４７】
（ｄ）請求項４の発明によれば、催事対象条件を設定できるとともに、本日が催事対象日ならば、前記表示手段に催事対象条件が表示されるようになるため、該催事対象条件に基づいて催事営業を行うことができる。
【０１４８】
（ｅ）請求項５の発明によれば、催事により付与する催事特典を設定できるとともに、本日が催事対象日ならば、前記表示手段に催事特典が表示されるようになるため、該催事特典に基づいて催事営業を行うことができる。
【０１４９】
（ｆ）請求項６の発明によれば、期間で区切るような催事を設定することができ、本日が催事対象日ならば、前記表示手段に催事開始日と催事終了日が表示されようになるため、該催事開始日と催事終了日による催事期間に基づいて催事営業を行うことができる。
【０１５０】
（ｇ）請求項７の発明によれば、期間指定手段に所望の期間を指定することで、既に設定されている催事の中から、指定した期間に催事対象日が該当する催事の情報が前記表示手段に表示されるようになるため、催事の登録状況を確認できるとともに、事前準備が必要な催事に関しては、その準備への意識付けができる。
【図面の簡単な説明】
【図１】本発明の実施例における遊技用システムの構成を示す図である。
【図２】（ａ）は、本発明の実施例に用いた会員カードを示す正面図であり、（ｂ）は、ビジターカードを示す正面図である。
【図３】本発明の実施例において用いたパチンコ機並びにカードユニットの正面図である。
【図４】本発明の実施例におけるパチンコ機の操作部を示す平面図である。
【図５】本発明の実施例におけるカードユニットの前面構造を示す斜視図である。
【図６】（ａ）は、本発明の実施例におけるカードユニットの一部破断側面図並びに背面図である。
【図７】本発明の実施例におけるカードユニット並びにパチンコ機の構成を示すブロック図である。
【図８】本発明の実施例におけるシステムコントローラの構成を示すブロック図である。
【図９】（ａ）（ｂ）（ｃ）は、本発明の実施例に用いたシステムコントローラにおけるカード管理ＤＢを構成する会員属性情報テーブル、会員カードマスターテーブル、カードユニット別データテーブルの登録状況を示す図である。
【図１０】本発明の実施例における会員管理コンピュータの構成を示すブロック図である。
【図１１】（ａ）、（ｂ）は、本発明の実施例に用いた会員管理コンピュータにおける会員管理ＤＢを構成する会員情報テーブル、イベントテーブルの登録状況を示す図である。
【図１２】（ｃ）は、本発明の実施例に用いた会員管理コンピュータにおける来店履歴データベースを、（ｄ）は、本発明の実施例に用いた会員管理コンピュータにおける台別履歴データベースの構成を示す図である。
【図１３】本発明の実施例に用いた会員管理コンピュータに表示されるイベント設定画面を示す図である。
【図１４】本発明の実施例に用いた会員管理コンピュータに表示されるイベント情報画面を示す図である。
【図１５】本発明の実施例に用いた会員管理コンピュータに表示される検索結果表示を示す図である。
【図１６】本発明の実施例におけるパチンコ機の賞球制御基板とカードユニットから出力される各信号の出力状況を示す図である。
【図１７】本発明の実施例に用いた遊技用システムを構成する各機器の処理状況（会員カード受付け時）を示す図である。
【図１８】本発明の実施例に用いた遊技用システムを構成する各機器の処理状況（会員カード受付け時以外）を示す図である。
【図１９】本発明の実施例において用いた多機能ランプの点灯状態と報知条件とを示す図である。
【符号の説明】
２　　　　カードリーダ式パチンコ機
３　　　　カードユニット
４　　　　呼出ランプ
６　　　　中継器
７　　　　ハブ
８　　　　通信ケーブル
９　　　　信号ケーブル
１０　　　通信ケーブル
１１　　　通信回線網
１４　　　操作部
１５　　　返却ボタン
１６　　　貸出ボタン
１７　　　度数表示部
１８　　　操作基板
２０　　　カードユニットストッカ
２１　　　入金装置
２２　　　精算装置
２３　　　分流樋
２４　　　補給球計数器
２５　　　アウト球タンク
２６　　　アウト球計数器
３１　　　ユニットホルダ
３１’　　スライドレール
３７　　　会員カード
３８　　　ビジターカード
８３　　　アンテナコイル
８４　　　集積回路
８５　　　バーコード
９１　　　アンテナコイル
９２　　　集積回路（ＩＣ）
１００　　システムコントローラ
１０１　　データバス
１０２　　ＣＰＵ
１０３　　ＲＡＭ
１０４　　ＲＴＣ
１０５　　記憶装置
１０６　　入力装置
１０７　　表示装置
１０８　　プリンタ
１０９　　第１通信部
１１０　　第２通信部
１１１　　デジタルサービスユニット（ＤＳＵ）
１２０　　会員管理コンピュータ
１２１　　データバス
１２２　　ＣＰＵ
１２３　　ＲＡＭ
１２４　　ＲＴＣ
１２５　　記憶装置
１２６　　入力装置
１２７　　表示装置
１２８　　プリンタ
１２９　　第１通信部
１３０　　第２通信部
１３１　　バーコードリーダ
２０２　　ガラス扉枠
２０３　　打球供給皿
２０４　　余剰玉受皿
２０５　　打球操作ハンドル（操作ノブ）
２０６　　遊技盤
２０７　　遊技領域
２０９　　可変表示部
２１０　　可変表示装置
２１１　　通過ゲート
２１４　　始動入賞口
２１５　　可動片
２１６　　可変入賞球装置
２２０　　開閉板
２２４　　入賞口
２２６　　アウト口
２９８　　情報出力部
２３１　　遊技制御基板
２３５　　ランプ制御基板
２３７　　賞球制御基板
２７０　　音声制御基板
２８０　　表示制御基板
２９１　　発射制御基板
２９７　　玉払出装置
３００　　貨幣利用可ランプ
３０１　　多機能ランプ
３０２　　紙幣挿入口
３０３　　硬貨投入口
３０４　　硬貨返却ボタン
３０５　　会員カード利用可ランプ
３０６　　貸出単位変更ボタン
３０７　　貸出単位表示部
３０８　　端数ボタン
３０９　　度数表示部
３１０　　機種設定ランプ
３１１　　方向指示ランプ
３１２　　カード発券中ランプ
３１３　　硬貨返却口
３１３’　受部
３１４　　会員カード用表示部
３１５　　テンキー
３１６　　プレイ選択ボタン
３１７　　エンターキー
３１８　　ビジターカード装着口
３１８’　透明カバー部材
３１９　　会員カード挿入口
３２０　　第１操作基板
３２１　　第２操作基板
３２２　　紙幣識別ユニット
３２２’　紙幣識別ユニット
３２３　　硬貨投入路
３２４　　硬貨識別ユニット
３２５　　硬貨返却路
３２６　　硬貨回収路
３２７　　カードリーダライタ
３２７ａ　通信基板
３２７ｂ　制御基板
３２８　　制御ユニット
３２９　　ＭＰＵ
３３０　　ＲＡＭ
３３１　　ＲＯＭ
３３２ａ　Ｉ／Ｏポート
３３２ｂ　Ｉ／Ｏポート
３３２ｃ　Ｉ／Ｏポート
３３２ｄ　Ｉ／Ｏポート
３３４　　通信部
３３６　　データ入出力部
３４０　　段部
３４１　　係止突起
３４２　　係止孔
３４３　　係止爪
３４４　　係止孔
３４５　　受付中表示部
３４６　　ＬＥＤモジュール
３４８　　硬貨利用可ランプ
３４９　　紙幣利用可ランプ
３５０　　紙幣搬送路
３５１　　コイン搬送路
３５２　　紙幣回収路
３５３　　硬貨回収樋
４００　　イベントテーブル表示エリア
４０１　　イベント設定エリア
４０２　　イベント名入力部
４０３　　期間設定部
４０４　　時間設定部
４０５　　対象条件設定部
４０６　　対象範囲設定部
４０７　　特典設定部
４０８　　報知条件設定部
４０９　　事前報知設定部
４１０　　イベント情報表示部
４１１　　　期間指定検索入力部
【図１】
2004008458.tif 000003
【図２】
2004008458.tif 000004
【図３】
2004008458.tif 000005
【図４】
2004008458.tif 000006
【図５】
2004008458.tif 000007
【図６】
2004008458.tif 000008
【図７】
2004008458.tif 000009
【図８】
2004008458.tif 000010
【図９】
2004008458.tif 000011
【図１０】
2004008458.tif 000012
【図１１】
2004008458.tif 000013
【図１２】
2004008458.tif 000014
【図１３】
2004008458.tif 000015
【図１４】
2004008458.tif 000016
【図１５】
2004008458.tif 000017
【図１６】
2004008458.tif 000018
【図１７】
2004008458.tif 000019
【図１８】
2004008458.tif 000020
【図１９】
2004008458.tif 000021